(57)【要約】      （修正有）【課題】カードリーダ、雄コネクタ、雌コネクタおよび伝送ケーブルが統合された複合機能を有する電気コネクタを提供する。【解決手段】本電気コネクタ１は、一方の端部の上表面に、雄コネクタ接触端子１１１が配置され、下表面に、カードリーダ接触端子が配置されるプラットフォーム１１と、プラットフォーム１１に配置される雄コネクタ接触端子１１１およびカードリーダの接触端子の一方の端部に嵌合される第１のケーシング１２と、プラットフォーム１１の他方の端部に配置され、内部には、雌コネクタが配置される第２のケーシングと、プラットフォーム１１の一方の側部に接続される少なくとも１つの伝送ケーブル１４と、プラットフォーム１１、第１のケーシング１２、第２のケーシングおよび伝送ケーブル１４が内部に配置される外部ケーシング１５とを含む。【選択図】図１
0003157354.tif 000002
【実用新案登録請求の範囲】
【請求項１】
一方の端部の上表面に、雄コネクタ接触端子が配置され、下表面に、カードリーダ接触端子が配置され、他方の端部は、チップ配置領域であるプラットフォームと、
前記プラットフォームに配置される雄コネクタ接触端子およびカードリーダ接触端子の一方の端部に嵌合され、両端部には、開口がそれぞれ設けられる第１のケーシングと、
前記プラットフォームに設けられる前記チップ配置領域の一方の端部に配置され、両端部には、開口がそれぞれ設けられ、内部には、雌コネクタが配置される第２のケーシングと、
前記プラットフォームの一方の側部に接続される少なくとも１つの伝送ケーブルと、
前記チップ配置領域に配置され、前記雄コネクタ接触端子、前記カードリーダ接触端子、前記雌コネクタおよび前記伝送ケーブルに電気的に接続されるＩＣチップと、
上ケーシングおよび下ケーシングから構成され、両端には、前記第１のケーシングと前記第２のケーシングとにそれぞれ対応する第１の開口と第２の開口とが設けられ、内部には、収容空間を有し、前記プラットフォーム、前記第１のケーシング、前記第２のケーシングおよび前記伝送ケーブルが前記収容空間中に配置される外部ケーシングと、を含むことを特徴とする電気コネクタ。
【請求項２】
前記プラットフォームは、前記チップ配置領域の一方の端部に設けられる複数の嵌合孔を含み、前記第２のケーシングは、前記嵌合孔に対応する複数の嵌合部材を含むことを特徴とする請求項１記載の電気コネクタ。
【請求項３】
前記プラットフォームは、前記チップ配置領域の一方の側部に設けられる複数の穿孔を含み、前記伝送ケーブルの線材は、前記穿孔中に溶接され、配置されることを特徴とする請求項１記載の電気コネクタ。
【請求項４】
前記第１のケーシングは、前記チップ配置領域に近い開口の下縁に凹設される切欠を含み、前記カードリーダ接触端子は、前記切欠から前記第１のケーシングの外部に露出することを特徴とする請求項１記載の電気コネクタ。
【請求項５】
前記外部ケーシングは、前記下ケーシングの前記第１の開口に近い部分に配置され、往復移動するカード取出機構を含み、前記カード取出機構は、前記下ケーシングの内側表面に位置する押動部と、前記押動部に連動し、前記下ケーシングの内側表面に位置し、前記切欠に対応する当接部材と、を含むことを特徴とする請求項４記載の電気コネクタ。
【請求項６】
前記伝送ケーブルには、コネクタプラグが接続されることを特徴とする請求項１記載の電気コネクタ。
【請求項７】
前記雄コネクタ接触端子の規格は、ＵＳＢ２．０インターフェースまたはＵＳＢ３．０インターフェースであることを特徴とする請求項１記載の電気コネクタ。
【請求項８】
前記雌コネクタの規格は、ＵＳＢ２．０インターフェースまたはＵＳＢ３．０インターフェースであることを特徴とする請求項１記載の電気コネクタ。
【考案の詳細な説明】
【技術分野】
【０００１】
本考案は、電気コネクタに関し、特に、カードリーダ、雄コネクタ、雌コネクタおよび伝送ケーブルが統合された複合機能を有する電気コネクタに関する。
【背景技術】
【０００２】
従来の紙を使用する作業方式から、コンピュータを使用する作業方式に変わり、人々の電子情報に関連する技術および製品に対する需要は、大幅に高まっている。これに伴い、各種の電子情報に関連する技術および製品は、古いものが淘汰され、新しいものが次々と現れており、その技術および製品が進歩し、更新される速度は、非直線的に、急激に高まっている。
【０００３】
従来、人々が使用する電子製品は、種類も機能も単純であったが、電子情報産業の発展に伴い、各種の消費者用電子製品が登場し、必要とされる機能の全てが提供されている。パソコンを例に挙げると、従来においては、１台のデスクトップコンピュータがあれば、ユーザの要求を満足させることができたが、現在では、コンピュータ自身の機能以外に、他の関連する外付けタイプの電子設備を組み合せる必要がある。例えば、データを便利に携帯するために、外付けタイプのハードディスクを使用する場合、或いは、デジタルカメラの画像ファイルにアクセスする場合、外付けタイプの電子設備およびコンピュータを互いにサポートする接続および伝送インターフェースが必要である。このため、各種のデータ伝送インターフェースが誕生した。
【０００４】
現在、最もよく見られるデータ伝送インターフェースは、ＵＳＢ（Ｕｎｉｖｅｒｓａｌ  Ｓｅｒｉａｌ  Ｂｕｓ）である。ＵＳＢは、所定規格を有し、パソコンと外部の電子設備とを接続するとき、新たなシステムを配置する必要も、コンピュータケースを開け、インターフェースカードのスイッチを調整する必要もない接続インターフェースである。ＵＳＢインターフェースは、各種の電子製品に広く応用されているため、デスクトップコンピュータであれ、ノートパソコンであれ、複数のＵＳＢポートが配置されている。しかし、ＵＳＢポートの個数は、コンピュータケースの空間または他の要素が考慮され、２つまたは３つしか配置されないかもしれない。しかし、ユーザが外付けする電子装置が増え、コンピュータに配置されたＵＳＢポートの数量を越えた場合、使用する電子装置と使用しない電子装置とを交換する必要があるため、非常に不便である。
【０００５】
従って、接続ポートの数に限りがある状況で、如何にしてコネクタの設計に創意工夫を施し、コネクタにコネクタとしての機能だけでなく、他の機能を増やし、接続ポートを節約し、付加価値を高めることができるコネクタを開発することは、関連するメーカの重要な研究目標であった。
【０００６】
本考案の考案者は、従来のコネクタがコネクタとしての機能しか有さず、機能が限定されるという欠点と、接続ポートが占有されて不便であるという欠点と、に鑑み、研究を重ね、ついに本考案を案出した。
【先行技術文献】
【特許文献】
【０００７】
【特許文献１】特許公表２００５−５０７１４３号公報
【考案の概要】
【考案が解決しようとする課題】
【０００８】
本考案の主な目的は、雄コネクタおよび雌コネクタの構造を有することにより、接続ポートに他のコネクタを使用することができる上、カードリーダおよび伝送ケーブルを有することにより、機能価値を高め、従来のコネクタの欠点を改善することができる、カードリーダ、雄コネクタ、雌コネクタおよび伝送ケーブルが統合された複合機能を有する電気コネクタを提供することにある。
【課題を解決するための手段】
【０００９】
上述の課題を解決するために、本考案の電気コネクタは、
一方の端部の上表面に、雄コネクタ接触端子が配置され、下表面に、カードリーダ接触端子が配置され、他方の端部は、チップ配置領域であるプラットフォームと、
プラットフォームに配置される雄コネクタ接触端子およびカードリーダ接触端子の一方の端部に嵌合され、両端部には、開口がそれぞれ設けられる第１のケーシングと、
プラットフォームに設けられるチップ配置領域の一方の端部に配置され、両端部には、開口がそれぞれ設けられ、内部には、雌コネクタが配置される第２のケーシングと、
プラットフォームの一方の側部に接続される少なくとも１つの伝送ケーブルと、
上ケーシングおよび下ケーシングから構成され、両端には、第１のケーシングと第２のケーシングとにそれぞれ対応する第１の開口と第２の開口とが設けられ、内部には、収容空間を有し、プラットフォーム、第１のケーシング、第２のケーシングおよび伝送ケーブルが収容空間中に配置される外部ケーシングと、を含む。
【００１０】
上述の構造により、コネクタの製造メーカは、チップ配置領域にＩＣチップを配置することにより、電気コネクタのカードリーダ、雄コネクタ、雌コネクタおよび伝送ケーブルの各機能を統合することができる。
【００１１】
ユーザが本考案の電気コネクタを使用するとき、先ず、メモリーカードを第１のケーシングの下半部に挿入し、メモリーカードの接触端子と、プラットフォームの一方の端部の下半部に配置されたカードリーダ接触端子と、を互いに接続する。その後、電気コネクタの第１のケーシングをデスクトップコンピュータまたはノートパソコンの接続ポートに挿入することにより、プラットフォームの一方の端部の上表面に配置された雄プラグ接触端子と、接続ポートの接触端子と、を互いに接続させ、メモリーカード中のデータの伝送およびアクセスを行うことができる。
【００１２】
第２のケーシング中に雌コネクタが配置されるため、ユーザが他の外付けタイプの電子装置を使用したい場合、外付けタイプの電子装置の雄コネクタと、本考案の電気コネクタの雌コネクタと、を接続することにより、ＩＣチップを介し、外付けタイプの電子装置を使用することができ、従来のコネクタのように、接続ポートが占有されて足りなくなることがない。
本考案の電気コネクタは、伝送ケーブルを有するため、他の電子装置を外付けでき、ＩＣチップを介し、他の電子装置に電力およびデータを伝送することができる。即ち、コネクタの付加価値をさらに高めることができる。
【００１３】
すなわち、本考案は下記の特徴を有する。
（１）一方の端部の上表面に、雄コネクタ接触端子が配置され、下表面に、カードリーダ接触端子が配置され、他方の端部は、チップ配置領域であるプラットフォームと、
前記プラットフォームに配置される雄コネクタ接触端子およびカードリーダ接触端子の一方の端部に嵌合され、両端部には、開口がそれぞれ設けられる第１のケーシングと、
前記プラットフォームに設けられる前記チップ配置領域の一方の端部に配置され、両端部には、開口がそれぞれ設けられ、内部には、雌コネクタが配置される第２のケーシングと、
前記プラットフォームの一方の側部に接続される少なくとも１つの伝送ケーブルと、
前記チップ配置領域に配置され、前記雄コネクタ接触端子、前記カードリーダ接触端子、前記雌コネクタおよび前記伝送ケーブルに電気的に接続されるＩＣチップと、
上ケーシングおよび下ケーシングから構成され、両端には、前記第１のケーシングと前記第２のケーシングとにそれぞれ対応する第１の開口と第２の開口とが設けられ、内部には、収容空間を有し、前記プラットフォーム、前記第１のケーシング、前記第２のケーシングおよび前記伝送ケーブルが前記収容空間中に配置される外部ケーシングと、を含むことを特徴とする電気コネクタ。
（２）前記プラットフォームは、前記チップ配置領域の一方の端部に設けられる複数の嵌合孔を含み、前記第２のケーシングは、前記嵌合孔に対応する複数の嵌合部材を含むことを特徴とする（１）記載の電気コネクタ。
（３）前記プラットフォームは、前記チップ配置領域の一方の側部に設けられる複数の穿孔を含み、前記伝送ケーブルの線材は、前記穿孔中に溶接され、配置されることを特徴とする（１）記載の電気コネクタ。
（４）前記第１のケーシングは、前記チップ配置領域に近い開口の下縁に凹設される切欠を含み、前記カードリーダ接触端子は、前記切欠から前記第１のケーシングの外部に露出することを特徴とする（１）記載の電気コネクタ。
（５）前記外部ケーシングは、前記下ケーシングの前記第１の開口に近い部分に配置され、往復移動するカード取出機構を含み、前記カード取出機構は、前記下ケーシングの内側表面に位置する押動部と、前記押動部に連動し、前記下ケーシングの内側表面に位置し、前記切欠に対応する当接部材と、を含むことを特徴とする（４）記載の電気コネクタ。
（６）前記伝送ケーブルには、コネクタプラグが接続されることを特徴とする（１）記載の電気コネクタ。
（７）前記雄コネクタ接触端子の規格は、ＵＳＢ２．０インターフェースまたはＵＳＢ３．０インターフェースであることを特徴とする（１）記載の電気コネクタ。
（８）前記雌コネクタの規格は、ＵＳＢ２．０インターフェースまたはＵＳＢ３．０インターフェースであることを特徴とする（１）記載の電気コネクタ。
【考案の効果】
【００１４】
本考案の電気コネクタは、コネクタとしての機能以外に、カードリーダおよび伝送ケーブルとしての機能を有する。また、雄コネクタおよび雌コネクタの構造を統合することにより、コンピュータは、新たな接続ポートを有することができ、従来のコネクタにおける、１つの機能しか有さないことと、接続ポートが占有されることと、による不便を改善することができる。
【図面の簡単な説明】
【００１５】
【図１】本考案の一実施形態による電気コネクタを示す斜視図である。
【図２】本考案の一実施形態による電気コネクタを示す他の角度からの斜視図である。
【図３】本考案の一実施形態による電気コネクタを示す分解斜視図である。
【図４】本考案の一実施形態による電気コネクタを示す他の角度からの分解斜視図である。
【図５】本考案の一実施形態による電気コネクタを示す上面図である。
【図６】本考案の一実施形態による電気コネクタの伝送ケーブルにコネクタプラグを接続した状態を示す斜視図である。
【考案を実施するための形態】
【００１６】
図１〜図４を参照する。図１〜図４に示すように、本考案の電気コネクタ１は、プラットフォーム１１、第１のケーシング１２、第２のケーシング１３、少なくとも１つの伝送ケーブル１４および外部ケーシング１５を含む。
【００１７】
プラットフォーム１１は、一方の端部の上表面に、雄コネクタ接触端子１１１が配置され、下表面に、カードリーダ接触端子１１２が配置される。他方の端部は、チップ配置領域１１３である。雄コネクタ接触端子１１１の規格は、ＵＳＢ２．０インターフェースまたはＵＳＢ３．０インターフェースである。本実施形態においては、ＵＳＢ２．０である。また、カードリーダ接触端子１１２の規格は、Ｍｅｍｏｒｙ  Ｓｔｉｃｋ  Ｍｉｃｒｏ  Ｍ２、Ｒｅｄｕｃｅｄ  Ｓｉｚｅ  Ｍｕｌｔｉ  Ｍｅｄｉａ  Ｃａｒｄ、ＭＭＣｍｉｃｒｏ  Ｃａｒｄ、ｍｉｎｉＳＤ  Ｃａｒｄ、ｍｉｃｒｏＳＤ  ＣａｒｄまたはｘＤ−Ｐｉｃｔｕｒｅ  Ｃａｒｄである。本実施形態においては、ｍｉｎｉＳＤ  Ｃａｒｄである。
【００１８】
第１のケーシング１２は、プラットフォーム１１に配置される雄コネクタ接触端子１１１およびカードリーダの接触端子１１２の一方の端部に嵌合され、両端部には、開口１２１がそれぞれ設けられる。
【００１９】
第２のケーシング１３は、プラットフォーム１１に設けられるチップ配置領域１１３の一方の端部に配置され、両端部には、開口１３１がそれぞれ設けられ、内部には、雌コネクタ１３３が配置される。雌コネクタ１３３の規格は、ＵＳＢ２．０インターフェースまたはＵＳＢ３．０インターフェースである。本実施形態においては、ＵＳＢ２．０である。
【００２０】
少なくとも１つの伝送ケーブル１４は、プラットフォーム１１の一方の側部に接続される。
【００２１】
外部ケーシング１５は、上ケーシング１５１および下ケーシング１５２から構成され、両端には、第１のケーシング１２と第２のケーシング１３とにそれぞれ対応する第１の開口１５３と第２の開口１５４とが設けられる。内部には、収容空間１５５を有し、プラットフォーム１１、第１のケーシング１２、第２のケーシング１３および伝送ケーブル１４が収容空間１５５中に配置される。
【００２２】
電気コネクタ１は、チップ配置領域１１３に配置されるＩＣチップ（図示せず）をさらに含む。ＩＣチップは、雄コネクタ接触端子１１１、カードリーダ接触端子１１２、雌コネクタ１３３および伝送ケーブル１４に電気的に接続されることにより、各部位の作業データおよびスケジューリングを統合する。
【００２３】
プラットフォーム１１は、チップ配置領域１１３の一方の端部に設けられる複数の嵌合孔１１４と、チップ配置領域１１３の一方の側部に設けられる穿孔１１５と、をさらに含む。
【００２４】
第１のケーシング１２は、切欠１２２をさらに含む。切欠１２２は、チップ配置領域１１３に近い開口１２１の下縁に凹設される。カードリーダ接触端子１１２は、切欠１２２から、第１のケーシング１２の外部に露出する。
【００２５】
第２のケーシング１３は、嵌合孔１１４に対応する複数の嵌合部材１３２をさらに含む。第２のケーシング１３は、嵌合部材１３２が嵌合孔１１４に嵌合されることにより、プラットフォーム１１に設けられるチップ配置領域１１３の一方の端部に配置される。
【００２６】
伝送ケーブル１４は、線材が穿孔１１５中に溶接されることにより、ＩＣチップに電気的に接続される。伝送ケーブル１４は、音声ケーブル、映像ケーブルまたはＵＳＢケーブルである。
【００２７】
外部ケーシング１５は、第２のケーシング１３に対応する第１の開口１５４の隣に設けられる線孔１５６を含む。伝送ケーブル１４は、線孔１５６を経由して外部に延伸され、外部の電子装置に接続される。外部ケーシング１５は、下ケーシング１５２の第１の開口１５３に近い部分に配置され、往復移動するカード取出機構１５７を含む。カード取出機構１５７は、下ケーシング１５２の外側表面に位置する押動部１５７１と、押動部１５７１に連動し、下ケーシング１５２の内側表面に位置し、切欠１２２に対応する当接部材１５７２と、を含む。
【００２８】
第１のケーシング１２と、プラットフォーム１１に配置される雄コネクタ接触端子１１１およびカードリーダの接触端子１１２の一方の端部とは、第１の開口１５３から突出しているため、電子コネクタをコンピュータの接続ポートに挿入して使用するのに便利になっている。
【００２９】
また、雌コネクタ１３３は、第２のケーシング１３のチップ配置領域１１３に近い開口１３１からＩＣチップに接続されることにより、雌コネクタ１３３に外部の電子装置の雄コネクタを接続したとき、ＩＣチップにより、演算処理を行うことができる。
【００３０】
図３〜図６を参照する。ユーザが本考案の電気コネクタ１を使用するとき、電気コネクタ１は、カードリーダの機能を有し、本実施形態では、ｍｉｎｉＳＤ  Ｃａｒｄの規格であるため、ｍｉｎｉＳＤ  Ｃａｒｄのメモリーカード（図示せず）を複合機能を有する電気コネクタ１の第１のケーシング１２の下半部に挿入することにより、メモリーカードの接触端子と、カードリーダ接触端子１１２と、を互いに接続させることができる。このとき、カード取出機構１５７の当接部材１５７２が切欠１２２からメモリーカードに当接される。次に、第１のケーシング１２が外部ケーシング１５の第１の開口１５３から突出し、第１のケーシング１２内に、ＵＳＢ２．０規格の雄コネクタ接触端子１１１が配置されるため、第１のケーシング１２をＵＳＢ２．０インターフェースのコンピュータの接続ポートに挿入することにより、メモリーカード中のデータにアクセスしたり、編集したりすることができる。使用した後、カード取出機構１５７の押動部１５７１を移動させ、当接部材１５７２を動かすことにより、切欠１２２を介し、メモリーカードを取り出すことができる。
【００３１】
また、第２のケーシング１３中の雌コネクタ１３３は、ＵＳＢ２．０インターフェースであるため、ユーザは、伝送インターフェースがＵＳＢ２．０インターフェース規格である外付けタイプの電子装置（例えば、ＵＳＢ２．０メモリー）を同時に使用することができる。即ち、外付けタイプの電子装置の雄コネクタと、本考案の雌コネクタ１３３と、を互いに接続することにより、ＩＣチップを介し、データの編集、伝送およびアクセスを行うことができる。従って、本考案の電子コネクタ１は、第１のケーシング１２が接続ポートに挿入されることにより、カードリーダの機能を提供することができると同時に、第２のケーシング１３が雌コネクタ１３３を提供することにより、他の外付けタイプ電子装置を使用することができるため、接続ポートが占有されたり、不足したりするのを避けることができる。
【００３２】
また、本実施形態において、伝送ケーブル１４には、コネクタプラグ１７が接続される。コネクタプラグ１７の規格は、ｍｉｎｉ  ＵＳＢインターフェースであるため、他の伝送インターフェースがｍｉｎｉ  ＵＳＢの外付けタイプ電子装置（例えば、ｍｐ３プレーヤ）に接続することにより、電力およびデータの伝送を行うことができる。即ち、伝送ケーブル１４により、本考案の電子コネクタ１は、さらに多くの機能を有することができる。
【００３３】
上述の構造により、本考案の電気コネクタは、コネクタとしての機能を有する上、雄コネクタの構造と雌コネクタの構造とを統合することにより、コンピュータは、新たな接続ポートを有することができる。また、カードリーダおよび伝送ケーブルにより、その機能を外部に拡張し、電気コネクタの使用価値を高めることができ、従来のコネクタの欠点を改善することができる。
【００３４】
上述の説明は、本考案の好適な実施形態を示すものである。従って、本考案の主旨を逸脱しない範囲における修飾または変更は、全て、本考案の範囲に含まれる。
【符号の説明】
【００３５】
１  電気コネクタ
１１  プラットフォーム
１１１  雄コネクタ接触端子
１１２  カードリーダ接触端子
１１３  チップ配置領域
１１４  嵌合孔
１１５  穿孔
１２  第１のケーシング
１２１  開口
１２２  切欠
１３  第２のケーシング
１３１  開口
１３２  嵌合部材
１３３  雌コネクタ
１４  伝送ケーブル
１５  外部ケーシング
１５１  上ケーシング
１５２  下ケーシング
１５３  第１の開口
１５４  第２の開口
１５５  収容空間
１５６  線孔
１５７  カード取出機構
１５７１  押動部
１５７２  当接部材
１７  コネクタプラグ
【図１】
0003157354.tif 000003
【図２】
0003157354.tif 000004
【図３】
0003157354.tif 000005
【図４】
0003157354.tif 000006
【図５】
0003157354.tif 000007
【図６】
0003157354.tif 000008